(57)【特許請求の範囲】
【請求項１】
釣合い錘(60)により回転部材を平衡させるためのクランプであって、クランプの取りつけ状態で重なり合う内側および外側バンド端部分(10a,10b;210a,210b) を有するクランプバンド（10) と、前記クランプバンド(10)の自由端を機械的に連結するための連結手段(40)と、前記回転部材の周りにクランプバンド(10)を締め付けるための手段とを備え、前記締め付け手段は、釣合い錘(60)の存在においてクランプの保持能力を増加させるために補強手段(34)を備えた架橋部分(33)により相互に連結された外方に延びる二つの脚部(31,32) を有する塑性変形可能な耳(30)を有し、前記連結手段および締め付け手段のうちの少なくとも一つが、釣合い錘(60)を受けるように意図されたクランプバンド(10)の周方向領域内に位置決めされているクランプにおいて、
前記補強手段は数個の深絞りされた溝状補強へこみ(34)により形成され、細長い形状の各へこみは平行な長手方向側面により区画されており、これらの長手方向側面は各へこみ(34)の両側において半円形の横方向に延びる連結部分により相互に連結されていることを特徴とするクランプ。
【請求項２】
前記補強へこみ(34)の各々は円みのついた底部(35)を有し、側面が架橋部分(33)の頂部から下方へかつ少なくともわずかに互いの方に向かって傾斜して、円みのついた底部(35)に、15°の程度の角度（α）で没入していることを特徴とする請求項１のクランプ。
【請求項３】
前記溝状補強へこみ(34)はクランプバンド(10)の長手方向中心平面に対して対称に前記架橋部分(33)に位置しており、架橋部分(33)の頂部から底部(35)の下面までの前記溝状補強へこみ(34)の各々の深さは、架橋部分(33)の頂部からその直線状態でクランプバンド(10)の底面までの耳の高さの55％から65％までの程度であることを特徴とする請求項１のクランプ。
【請求項４】
前記耳(30)は3.5 mmの程度の高さを有することを特徴とする請求項３のクランプ。
【請求項５】
前記連結手段(40)は、前記バンド端部分(10a,10b) のうちの一方に、少なくとも一つの押し出された、深絞りされた支持フック(41)と、クランプバンド(10)の長手方向に延びている軸線の周りをクランプバンドの外側へ曲げられた一つのタブ状の組み合わされた案内兼支持フック(43)とを有し、他方のバンド端部分には、前記支持フック(41)により係合可能な少なくとも一つの長方形の孔(42)と、前記の組み合わされた案内兼支持フックにより係合可能にクランプバンド(10)の長手方向に延びる一つのスロット状孔(44)とを有することを特徴とする請求項１のクランプ。
【請求項６】
内側バンド端部分(10a) の自由端から出発して、前記少なくとも一つの支持フック(41)には前記組み合わされた案内兼支持フック(43)が前記自由端から遠ざかる方向に続いていることを特徴とする請求項５のクランプ。
【請求項７】
前記の組み合わされた案内兼支持フック(43)は、外側バンド端部分(10b) が、組み合わされた案内兼支持フック(43)から外れるのを阻止するために, 上方へ延びる斜めの案内面(43 ′) と、わずかに下方へ延びる尖端部分(43 ″) を有する前方へ延びる尖端とを有することを特徴とする請求項５のクランプ。
【請求項８】
前記の組み合わされた案内兼支持フック(43)は、第一の切込み(43a) と、組み合わされた案内兼支持フック(43)をその垂直な位置へ曲げるのに先立つ引き続く部分円の切込み(43b) とにより結果として生ずることを特徴とする請求項７のクランプ。
【請求項９】
前記クランプバンド(10)は、その長手方向の著しい弾性的な伸縮性を欠く亜鉛めっき鋼材料またはステンレス鋼材料で作られていることを特徴とする請求項１のクランプ。
【請求項１０】
重なりの始め近くの領域内で外側バンド端部分(10b) に位置するクランプバンド(10)の起伏を有することを特徴とする請求項１のクランプ。
【請求項１１】
クランプバンド(10)の締め付け中平坦化に抵抗するクランプバンド長手方向を横切る横断面における凸状の輪廓により前記クランプバンド(10)に弾性を与えることを特徴とする請求項１のクランプ。
【請求項１２】
前記釣合い錘(60)の有効値を高めるために、前記連結および締付け手段から間隔を置いた一つの領域内で前記クランプバンド(10)に孔(20a,20b,20c,20d,20e;120) を有し、前記孔は、連結手段(40)がクランプを閉じるときにクランプ円周全体の少なくとも45％のクランプの周方向領域をカバーすることを特徴とする請求項１のクランプ。
【請求項１３】
請求項１〜１２までのうちのいずれか一つによるクランプと所定寸法および重さの釣合い錘(60)を有する、回転部材を平衡させるためのバランス配置であって、前記クランプは前記釣合い錘(60)の上を延びておりかつ所定の位置で回転部材の外側面を釣合い錘(60)と緊密に係合させて、それによって前記釣合い錘を前記回転部材に前記所定の位置で固着するようになっており、前記連結および締め付け手段のうちの少なくとも一つが、釣合い錘(60)を有するクランプバンド(10)の同じ周方向領域内に位置していることにより、連結および締め付け手段のうちの少なくとも一つの手段の重さが釣合い錘(60)の重さに有効に付加することを特徴とするバランス配置。
【請求項１４】
前記釣合い錘(60)が連結手段(40)と外側バンド端部分(10b) の自由端との間の領域内で前記クランプバンド(10)に取りつけられていることを特徴とする請求項１３のバランス配置。
【請求項１５】
釣合い錘(60)が多角形をしており、かつ釣合い錘は、回転部材の表面の中へ突っ込むように作用可能な釣合い錘(60)の下方へ曲げられた角領域により、回転部材の外側面に釣合い錘(60)を係止させるための係止手段を有することを特徴とする請求項１３のバランス配置。
【請求項１６】
クランプバンド(10)は、下方へ曲げられた側方クランプバンド部分(10 ′,10 ″) により、クランプバンド(10)を回転部材および釣合い錘(60)の外側面に係止するためのクランプバンド係止手段を有し、前記側方クランプバンド部分の下方へ曲げられた縁は釣合い錘(60)および回転部材の表面の中へ突っ込むように作用可能であることを特徴とする請求項１３のバランス配置。
【請求項１７】
前記釣合い錘(60)は必要な重さに依存して一つまたは複数の板状部材で構成され、前記板状部材には、必要な数の板状部材を重ねて組立てできるように、押し出された手段(61)が設けられていることを特徴とする請求項１３のバランス配置。
【請求項１８】
前記の押し出された手段(61)は小さく押し出されたノブ状へこみの形をしていることを特徴とする請求項１７のバランス配置。
【請求項１９】
前記板状部材は、その重さが開口(62)の数、寸法および位置のうちの少なくとも一つにより変えられる標準寸法を有することを特徴とする請求項１７のバランス配置。
【請求項２０】
締め付けおよび連結手段の重さより軽い回転部材の不平衡を平衡させるための請求項１３のバランス配置において、さらに、前記連結および締め付け手段の周方向領域と対向する領域でクランプバンド(10)に固着された釣合い錘(60)によりそれ自体で完全に平衡したクランプを与えるために前記クランプに固定された初期の平衡手段を有することを特徴とするバランス配置。
【発明の詳細な説明】
【０００１】
【発明の属する技術分野】
本発明は、バランス配置に関し、特により大きい不平衡の補償を考慮に入れる中空駆動軸のための改良されたバランス配置に関する。
【０００２】
【従来の技術】
種々の形式のバランス配置が従来技術で知られている。例えば、ホフマンの米国特許第3,901,046 には、回転部材に締め付けるべきクリップを利用し、その際ねじ形式（ウオーム駆動）連結によりクリップの自由な端部の連結に実質的に対向する領域内で釣合い錘がクリップに取りつけられているバランス配置が開示されている。この形式の配置は不平衡の時間のかかる決定のため取りつけが比較的複雑であり、かつ釣合い錘はクリップの開放端部のねじ形式の連結を常にずらさなければならないので比較的不十分でもある。
【０００３】
本出願人の英国特許第2,238,846 号では、釣合い錘を開放したクランプバンドの機械的連結部の領域内に配置することによりホフマンの欠点と不利益を避けている。この特許の図１〜５に開示された耳なし構造体の場合、その間に区画された砂時計状窓を有する凹状の側方バンド部分を有する区分を用いてクランプバンドに長手方向の弾性的な伸縮性を与え、それによって駆動軸の熱変動を補償している。その際、釣合い錘はフック状突起によりクランプバンドに取りつけられている。この特許の図６〜１２の実施の形態において、締め付け部材が塑性変形可能な耳により構成されており、図１０〜１２によれば、耳は釣合い錘と一体に作られている。
【０００４】
本出願人の米国特許第5,230,246 号は、塑性変形可能な耳の特別な構造により前記の英国特許と異なっており、この耳には、バランス配置の位置の変化の場合の問題を避けかつ耳状部材の強さを増加させる二重の機能を行うように意図されたタブ状部材が設けられている。
中空駆動軸が与えられた精度で特定の寸法に作られている。しかしながら、軸の外側寸法の許容公差が大きければ大きいほど、すなわち駆動軸の起こり得る不平衡が大きいほど、不平衡を補償するための釣合い錘の重さの範囲がそれだけいっそう大きくなければならない。換言すれば、駆動軸が製造コストの観点から望ましい外側寸法の精度をあまり高くない精度で製造できる場合に、より大きい重さの釣合い錘を確実に取扱いできるバランス配置を設けることが重要になる。
【０００５】
最近の発展によると、バランス配置で使用できる釣合い錘の最大重さの寸法を倍加する必要が示された。しかしながら、この目標は、前記の英国特許と米国特許に開示されたバランス配置では達成できないと思われている。
【０００６】
【発明が解決しようとする課題】
それ故、本発明の主目的は、従来技術で遭遇する欠点と不利益を有効に除去しかつこれまで企画された重さの二倍の重さを有する釣合い錘の信頼できる確実な保持を確保する一体の平衡する釣合い錘をバランス配置および予備組立てされたクランプに設けることである。
【０００７】
【課題を解決するための手段】
根底にある問題は、本発明により、クランプと釣合い錘の組み合わせの特定の配置により解決される。特に、クランプの機械的な連結部は必要な最大釣合い錘の増加した重さのためにより大きな締め付け力に抵抗できなければならないし、かついわゆる「エテッカー」耳を用いて、耳の保持能力も実質的に増加させなければならない。
【０００８】
大抵の目的のために、いわゆる「エテッカー」耳は駆動軸の熱的温度変化に対し充分な補償をすることができるので、横方向にほぼ凹形のクランプバンドを用いることによりクランプバンドの部分に弾性を与えるのに充分である。また、駆動軸の曲率半径よりわずかに小さいその内側面の曲率半径の使用により釣合い錘に弾性を与えることもできる。
【０００９】
いわゆる「エテッカー」耳を有するクランプの驚くべきいっそう大きな保持能力は、二つの並んだ長手方向に延びる補強溝を利用することにより達成され、これらの補強溝は各々円みのついた底を有しかつ特に通常用いられるより広いクランプバンドを用いて、半円形端面により相互連結されたほぼ平行な側面により境界を定められている。満足のゆく保持能力はこれらの改変で達成することができる。
【００１０】
そのようなバランス配置でいわゆる耳なしクランプを使用する場合に、耳なしクランプをその取りつけられたかつ完全に締め付けられた位置に確実に保持するために下からトンネル状孔の中に係合する新規な支持フックを用いてクランプの強い機械的連結を達成することができる。改良された支持フックは、締め付け中外側クランプバンド部分の負荷の下でフックのバックリングまたは崩壊に対するより大きな抵抗を与え、かつ同時に締め付け中新規な支持フックの平らな頂部の上での外側クランプバンド部分のすべり運動を容易にする。
【００１１】
さらに、機械的連結部と内側バンド部分の自由端との間で内側バンド端部分の領域内で点溶接により釣合い錘をクランプバンドに永続的に連結することは有利であることも判明した。それにより、釣合い錘とクランプの費用のかからないかつ能率的な予備組立てができる。これに代わり、釣合い錘の心出し配置を有する同じ領域内で簡単な機械的連結部を、本発明の改変された実施の形態で用いることができる。
【００１２】
いわゆる耳なしクランプの場合に、外側バンド部分の自由端の領域における押し出された補強部は、クランプの締め付け中バンドの持ち上がりを避けかつ外側バンド部分の自由端近くに位置しかつクランプの締め付け中に必要とするトンネル状部材の安定性を改良するためにきわめて首尾がよいことが判明した。
【００１３】
釣合い錘の有効性を改良するために、機械的連結部に対向するクランプバンドの領域および釣合い錘の領域について、以下いっそう充分に述べるように、種々の寸法、形状および寸法の開口ならびにそのような開口の数を変えて用いることでクランプバンド材料の除去により重さを減少させることができる。
【００１４】
【発明の実施の形態】
以下、本発明を図面に示す実施の形態により詳細に説明する。図中、同様な部品には同様な参照数字を付けてある。
最初に図１〜８を参照すると、参照数字１０は総括的にクランプを示し、このクランプには参照数字３０により総括的に表した「エテッカー」耳と参照数字４０により総括的に表した機械的連結部（図７）が設けられている。クランプバンド１０は、内側バンド部分１０ａと外側バンド部分１０ｂとを有し、これらのバンド部分は取りつけ状態で少なくとも部分的に互いに重なる。側方バンド部分１０′と１０″は、クランプが釣合い錘と回転軸の周りに締め付けられたときに平らになろうとする多少の凸形状によりクランプバンドに弾性を与えるために下方へ曲げられている（図５）。下方へ曲げられた部分１０′と１０″の側縁は、回転部材（図示省略）および釣合い錘の外面の中へ突っ込もうとする。その係止を高めるために、これらの縁は本出願人の英国特許第2,238,846 号および米国特許第5,230,246 号に記載された手段によって実行されるように滑らかでなくともよい。
【００１５】
締め付け手段として役立つ参照数字３０により総括的に表される、改変された、塑性変形可能な耳は、ほぼ外側へ延びる二つの脚部３１と３２を有し、これらの脚部は、新規な補強配置（図２および３）を備えている架橋部分３３により相互に連結されている。図示の実施の形態では、耳補強配置は、各々が円みのついた底部３５を有する溝状補強へこみ３４により構成されており、その際各補強溝はほぼ平行な長手方向側面により形成されており、これらの側面は各端部で図１および３に示したようにほぼ半円形に付形された端部分により相互に連結されている。その際、それぞれの溝状へこみ３４の端面ならびに側面が、垂直面に対し角αで、例えば約15°の角度で互いに向かって下方へ傾斜して、円みのついた底部に没入している。
【００１６】
参照数字４０により総括的に表した機械的連結部は、二つの冷間変形されている深絞りした支持フック４１を有し、これらの支持フックは本出願人の米国特許4,299,012 に開示されたようにまたは本出願の図１、２および６にいっそう特に示したように構成することができる。内側バンド部分１０ａの自由端から遠ざかる方向に二つの支持フック４１に続いて新規な案内兼支持フック４３があり、この案内兼支持フック４３は図６に詳細に示した二つの切込みの後にほぼ長手方向に延びる軸線の周りをクランプバンドの外側へ曲げられている。組み合わされた案内兼支持フック４３は、通例の上方へ延びる斜めの案内面４３′（図２）に加えて、わずかに下方へ延びる先端部分４３″を有する前方へ延びる先端を有しており、これによって、組み合わされた案内兼支持フック４３を外側バンド部分１０ｂのスロット状孔４４に係合させることにより締め付前に一度クランプを予備組立てしたときに、組み合わされた案内兼支持フックから外側バンド部分１０ｂが離脱するのを確実に阻止する。組み合わされた案内兼支持フック４３のこの特別な輪廓は、案内フックがクランプバンド平面からそのほぼ垂直な位置に曲げられる前に作られる最初の切込み４３ａと引き続く部分的に円形の第二の切込み４３ｂにより達成される。長方形の、好ましくは正方形の孔４２が外側バンド部分１０ｂに設けられていて、クランプが耳３０の塑性変形により締め付けられたときに二つのバンド部分１０ａと１０ｂが面４３′により互いに向かって引っ張られる際に支持フック４１を受け入れるようになっている。参照数字６０により総括的に示されかつ図１に一点鎖線で示した釣合い錘は、内側クランプバンド部分１０ａにその自由端と第一の支持フック４１の中間に、例えば概略的に７０で示した溶接により固着される。釣合い錘の係止を改良するために、その角６１を下方に曲げて（図示省略）、クランプが締め付けられたときに回転部材の外面の中へ突っ込むようになっている。しかしながら、下方へ曲げられた角６１により達成される係止に加えてまたはその代わりに、本出願人の前記の英国特許や米国特許に開示された係止配置のいずれかを用いることもできる。所定の重量や寸法の釣合い錘は、鉛やその合金、粉末金属のような釣合い錘に適する周知の材料で作ることができ、または係止を高めるような接着面を備えた市場で入手可能な鉛テープさえ作ることができる。
【００１７】
その有効重さに関して釣合い錘の有効性を促進するために、釣合い錘と反対側のクランプの領域から質量を除去するのが望ましい。図１の実施の形態において、多数の長方形孔２０ａ、２０ｂ、２０ｃ、２０ｄおよび２０ｅが設けられており、これらの孔はクランプの領域に少なくともほぼ機械的連結部の領域および釣合い錘と対向する側に位置している。孔の形状ならびに寸法と数はクランプ用材料の強度に依って特別な用途に望まれるように選択することができる。図１の実施の形態において、比較的長い孔２０ｃには各側で二つ以上のより小さい孔２０ａ、２０ｂおよび２０ｄ、２０ｅが続いており、ほぼ長方形輪廓の各孔は円みのついた角を有する。隣接する孔の間のウエブ部分２１の幅寸法、すなわちクランプバンド長手方向のこれらのウエブ部分２１の寸法は、再び、使用される材料の種類によって、例えば種々の強度特性を有する亜鉛めっき鋼またはステンレス鋼によって選択することができる。親指のルールとして、これらのウエブ部分２１の幅はクランプバンドの幅の少なくとも約20％から約25％までなければならない。そのような孔によりかばーされるクランプの周方向領域は、再び、材料の強度によっておりかつ経験的に容易に決定して与えられたデザインを最適にすることができる。しかしながら、この周方向領域が大きければ大きいほど、釣合い錘の効果がそれだけ大きくなるだろう。
【００１８】
図９は本発明のバランス配置に用いられるクランプの改変された実施の形態を示す。この実施の形態では、図１の長方形の孔２０ａ、２０ｂ、２０ｃ、２０ｄおおび２０ｅが、この配置のより大きい強度のため内側および外側バンド端部分１０ａと１０ｂの中間に実質的にクランプバンド部分全体にわたって延びている円形孔１２０により置き換えられている。もちろん、卵形孔および／または規則的にまたは不規則的に続いている卵形および円形孔を用いることもできる。その他については、図９の実施の形態は図１〜８の実施の形態と同様である。
【００１９】
もちろん、長方形、円形または卵形孔またはこれらの混ざったものの代わりに、本発明の種々の実施の形態に用いられるクランプバンドには、前記の英国特許または米国特許第5,230,246 号に開示されたように、その間にほぼ砂時計状の窓を区画する凹状の側方バンド部分を有する、弾性を高める部分を設けることもできる。しかしながら、そのような弾性を高める部分は側方バンド部分の凹状の外縁を打ち抜くことによりそれらの製造中或る困難を伴うので、図１９に示す改変された実施の形態にしたがって、クランプバンド１０には、各部分が砂時計の形状に似ているがほぼ長方形の外縁２２２ａ、２２２ｂを保っている窓２２１を設けることができる。各部分２２０の寸法、すなわち長さと幅ならびに曲率２２３およびウエブ部分２２４の幅は、与えられた用途で所望の結果を最適化するために経験的に容易に決定することができ、その際曲率２２３はクランプバンドの幅の二分の一より、好ましくは三分の二より大きい曲率半径を有する円弧の部分であるのが好ましい。また、窓２２１は曲率半径２２３より実質的に小さい曲率半径をもつ、円みのついた角２２５を有するのが好ましい。
【００２０】
次の試験は、米国特許第5,326,325 の補強耳構造の保持能力と比較して本発明の耳構造の驚くほど大きい保持能力を証明する。表１は、本出願人の前述した米国特許5,326,325 により補強耳構造を有する三つのクランプサンプルで得られた試験データを示すのに対し、図１０の（Ａ）、図１０の（Ｂ）および図１０の（Ｃ）は前記の特許の耳で得られた試験データを表すグラフである。
【００２１】
表２は、図１〜５の実施の形態による耳構造を有する三つのクランプサンプルで得られた試験データを示すのに対し、図１１の（Ａ）、図１１の（Ｂ）および図１１の（Ｃ）はこれらの試験結果を再びグラフで示す。
【００２２】
【表１】
0004060906.tif 000002
【００２３】
【表２】
0004060906.tif 000003
【００２４】
これらの試験結果を比較すると、図１〜５の実施の形態の耳の保持能力が本出願人の米国特許第5,230,246 号の耳の保持能力に比較して大幅に改善されている。
いわゆる「エテッカー」耳の形態の締め付け装置はいくつかの用途には望ましくないので、「エテッカー」耳を除いてあるバランス配置のクランプを用いるのが好ましくなる。低い輪廓、したがっていわゆる耳なしクランプは例えば本出願人の米国特許第4,492004号から知られており、クランプが所定のクランプ力を与えるのに必要な程度に締め付けられたときにのみフックがこれらの孔に係合できるように内側バンド部分のフックと外側バンド部分のそれらの孔を位置させなければならず、それらの位置はクランプ寸法に応じている。図１２は本発明のバランス配置で使用される改善された低い輪廓の、耳なしクランプを示し、この耳なしクランプは改良された機械的連結部を有し、機械的連結を行う際の信頼性を増しかつ釣合い錘を容易にかつ確実に締め付け可能に設計されている。参照数字２１０により総括的に表されたクランプバンドは、好ましくはクランプバンド１０のようないっそう大きな幅を有することもできるが、再び下方へ曲げられた側方部分２１０′と２１０″を備えかつ内側バンド端部分２１０ａと外側バンド端部分２１０ｂを有する。内側バンド端部分２１０ａの自由端から出発して、細長い孔２２１には、心出しの目的のために孔２２１に嵌まる釣合い錘（図示省略）の中に適当なノブ状の押し出された部分を受け入れるために円みのついた端部分が設けられている。釣合い錘は、図１の釣合い錘６０と関連して開示されたどんな周知の構造でもよい。次に、分離手段の部分を形成する二つの横方向切込みの後深絞りにより押し出されたトンネル状部材２３１が続いており、これにはさらに新規な支持フック２３２が続いており、この支持フック２３２は機械的連結部の部分を形成しておりかつクランプの完全に締め付けられて取りつけられた状態で周方向に向けられたより高い締め付け力を吸収できる。支持フック２３２には、再びトンネル状部材２３３が続いており、このトンネル状部材は再使用可能なクランプを締め付けるための連結手段の部分を形成している。次に、多数の孔、例えば卵形孔２２０′と交互する円形の孔２２０が続いており、これらの孔の数と配置は当業者にとって周知であるように変えることができる。もちろん、図１に示した孔または図１９に示した孔を用いることもできる。これに代わりおよび／またはこれに加えて、本出願人の英国特許にまたは本出願人の米国特許第5,230,246 に開示された弾性付与部分を用いることもでき、そのような孔および／または部分の位置は、再び、少なくとも釣合い錘および／または機械的連結部にほぼ対向する領域内でかつクランプバンド端部分２１０ａと２１０ｂのほか全部を含むことができるクランプバンドの周方向部分にわたって延びているクランプバンドの領域内であるのが好ましい。分離手段の部分として役立つもう一つのトンネル状部材２３４には、直接ほぼ長方形の開口２２２が隣接しており、この長方形の開口２２２には、トンネル状部材２３１と係合して予備組立体となるようになっている外側バンド部分２１０ｂの自由端により近い横方向面に舌状予備組立突起２２３が設けられている。トンネル状部材２３１が開口２２２の中へ延びることができるような幅を有する開口２２２には、再使用可能なクランプを締め付けるための締め付け手段の部分を形成するトンネル状部材２３５が続いている。押し出された補強部２５０は外側バンド端部分２１０ｂの自由端領域で少なくとも部分的にトンネル状部材２３５を囲んでおり、補強部２５０は、驚くべきことには、クランプを締め付けたときに外側バンド端部分の自由端の持ち上がりを阻止しかつトンネル状部材２３５により大きな安定性も与える。トンネル状部材２３１は、必要に応じてトンネル状部材２３４の下を摺動できるようにトンネル状部材２３４よりいっそう小さな輪廓を有する。
【００２５】
前端補強部２５０の好ましい実施の形態は図１６、１７および１８に示されており、補強部２５０はその横方向に延びている部分２５２でトンネル状部材２３５の前を横切って延びているだけではなく、その側方部分２５１でこのトンネル状部材２３５の側方を長手方向にも延びていて、それによってその前方でかつその側面に沿って少なくともほぼ長さの半分にわたってトンネル状部材２３５を取り囲んでいる。この補強部２５０は、やっとこ状工具を工具係合面２３５′と２３３′で係合させることによりクランプが締め付けられるときに外側バンド端部分２１０ｂの自由端が持ち上がるのを有効に阻止する。
【００２６】
図１３、１４および１５は、機械的連結部の一部を形成する本発明の新規な支持フック２３２の細部を示しており、この支持フックは、実質的に円形部分２３２ｂ″に制限された切込み後（図１５）深絞りにより押し出されて図１３に示した輪廓をとるようになっており、図１３において、内側バンド部分の自由端から斜め上方へ遠ざかるように傾斜しているほぼ直線状の傾斜路状面２３２ａが鼻状部分２３２ｃを形成するほぼ平らな部分２３２ｂで終わっており、前記鼻状部分２３２ｃにより、連結位置で、鼻状部分２３２ｃが傾斜案内面２３２ｄより上を延びていてかつ補強部２５０にいっそう近いトンネル状部材２３５の横方向切込みにより形成されたバンド端部分１０ｂの縁で傾斜案内面２３２ｄと係合するようにトンネル状部材２３５の開口に下から係合する。鼻状突起２２３がトンネル状部材２３１に係合すると、予備組立て条件が与えられる。ほぼ直線状の傾斜面２３２ａおよびその平らな部分２３２ｂはクランプの締め付けを容易にする。というのは、補強部２５０により補強された外側バンド端部分２１０ｂがクランプの締め付け中この傾斜路状面２３２ａの上を摺動して乗り上がって平らな部分２３２ｂの上を通過し、ついには鼻状部分２３２ｃがトンネル状部材２３５の下の開口の中へスナップ嵌めすることができるので、面２３２ｄが補強部２５０にいっそう近いトンネル状部材のための横方向切込みにより引き起こされたクランプバンドの横方向縁と係合できるからである。それにより、平らな部分２３２ｂがいくつかの点で支持フック２３２を改良する。平らな部分２３２ｂは、外側バンド部分２１０ｂが、クランプの締め付け中、特にこの傾斜路状面の上端に到達する際に、フック２３２をバックリングまたは圧壊しないように大幅に強化する。また、平らな部分２３２ｂはクランプの締め付け中外側バンド部分２１０ｂの滑り運動を容易にする。というのは、平らな部分２３２ｂは傾斜路状面２３２ａを短くするだけではなく先の支持フックの傾斜路状面の傾斜した頂部を除くことによりこの滑り運動も容易にし、その代わりに取りつけられたクランプにおいてほぼ一定の半径方向距離を有する平らな面を与えるからである。
【００２７】
図１２〜１８の耳なしクランプは、予備組立て状態からトンネル状部材２３３と２３５を一緒に引っ張ろうとする工具を利用することによりかつクランプを再び開放するために部材２３１と２３４を一緒に引っ張ろうとする工具を利用することにより当業者にとって周知の慣用の仕方で取りつけかつ取り外せる。
【００２８】
釣合い錘をクランプバンドに溶接結合する代わりに、図１２の実施の形態は釣合い錘を締め付けるための内側バンド端部分の切除部２７１′および２７１″を示し、これらの切除部にはほぼ平行な切込みにより釣合い錘から切り抜かれて上方へ曲げられた適当なフック状部材を設けることにより、フック状部材がこれらの切除部２７１′および２７１″を通って延びてそれから曲げられて釣合い錘を予備組立て状態に確実に締め付けことができ、それによりノブ状突起が孔２３１に係合して、心出しされた釣合い錘を保持する。
【００２９】
種々の実施の形態のための代表的な値は次の通りであり、これらの値は本発明の一つの与えられた実施の形態についてのみ代表的でありかつ当業者にとって周知のように変えることができる本発明の可能な実施の形態のどの方法においても制限的に解釈してはならない。以下示される全ての寸法はミリメートルでありかつ仮出願に添付された図から取られる。長さ寸法ａはクランプの直径寸法に依っておりかつこの特別な実施の形態では約334 mmでありかつ内側バンド部分１０ａの自由端から第二の孔４２の外側バンド部分の自由端により近い縁までのクランプの長さを表す。第二の孔４２のこの同じ縁から外側バンド部分１０ｂの自由端までの寸法ｂは約21 mm であるので、クランプ全体の全長は約355 mmである。クランプバンドの幅ｃは14 mm であり、外側バンド部分１０ｂの自由端から塑性変形可能な耳３０の外側へ延びる脚部３１までの寸法ｄは約34 mm である。孔４２は各々クランプバンド横方向で約5.5 mmでありかつクランプバンドの長手方向において約5 mmである。横方向のスロット状孔４４の幅は約２mmであり、その長手方向長さは約6 mmである。孔４２の互いに面する縁の間の間隔は約3 mmであり、この寸法はスロット状孔４４の隣合う縁と第一の、すなわち次の隣接する孔４２との間の間隔でもある。クランプの長手方向における耳３０の長さｅは約10 mm であり、高さf は約3.5 mmである。各溝状へこみ34の長さｇは約6 mmであり、各溝状へこみの円みのついた底部３５の曲率半径は約1 mmであり、クランプバンド横方向における溝状へこみの底部の中心の間の間隔ｈは約6 mmである。互いに向かって傾斜している各溝状へこみの長手方向に延びる側壁の角度αは約15°である。脚部３１と３２はクランプバンドの面に対し正確に直角に延びる必要はないが、クランプバンド面に対し垂直な約5 °の角度を形成してもよい（図２）。
【００３０】
図１〜８のクランプの対向端部に目を転ずると、内側バンド部分１０ａの自由端から内側バンド部分の自由端により近い支持フックの縁４１′までの寸法ｉは約48.6 mm であり、この縁４１′から部分縁切込み４３ｂの中心までの間隔ｊは約10 mm であり、一方切込み４３ｂの中心と内側バンド部分１０ａの自由端から離れた支持フック４１の縁４１′の間の間隔は約10.2 mm である。部分円切込み４３ｂの直径は2 mmであり、切込み４３ｂの中心から切込み４３ａの端までの長手方向の距離ｋは約4.7 mmであるので、距離l は5.5 mmである。切込み43b の直径は約2 mmであり、切込み４３ａの曲率半径は約１mmである。各支持フック４１の横方向の幅ｍは約5 mmであり、内側バンド部分１０ａの自由端からの円形孔７０の中心までの距離ｎは約21 mm である。孔２０ａ、２０ｂ、２０ｄおよび２０ｅは約20 mm の長手方向の全長ｐを有し、約8 mmの幅ｑを有し、そのとき角はその四つの角で約2 mmの曲率半径で円みがついている。比較的長い孔２０ｃの長手方向の長さｒは約60 mm であり、幅は再び約8 mmであり、そしてその角は２mmの曲率半径で円みがついている。全ての孔２０ａ、２０ｂ、２０ｃ、２０ｄおよび２０ｅの間の相互の間隔は約3 mmである。図４に示したように、孔２０ｃの領域内の傾斜した側方バンド部分の傾斜角βは約15°であり、それによりこれらの孔２０ａから２０ｅまでの領域内の残っている側方バンド部分の長さは約2 mmである。図５に示したように、残っている側方バンド部分の内側クランプバンド部分１０ａの領域内で、角β′は約20°であることができる。図２に示したように、寸法ｓは約13.5 mm であり、寸法ｔは約8 mmである。図１〜８の実施の形態の寸法の残りについては、それらは与えられた実施の形態では0.8 mmである材料の厚さのような特別な用途に適合させるために選択することができる。同じことが、特別な実施の形態でAISI 304ステンレス鋼である、使用材料にも当てはまる。
【００３１】
図９の実施の形態は図１〜８の実施の形態と同様であるが、但し孔２０ａ〜２０ｅは規則的に間隔を置いた開口１２０により置き換えられ、前記開口の直径は使用すべき材料に依って所望の値に選択することができ、前述した釣合い錘の有効性を高めるためのクランプバンド材料の厚さも所望の値に選択することができる。
【００３２】
図１２に示したクランプに関して、改良された案内兼支持フック２３２は約4.4 mmの幅Ａ（図１５）と約5 mmの長さＢを有する。部分円形切込み部分２３２″には約2.5 mmの半径Ｒが形成されている。平坦化された部分２３２ｂは約0.8 mmの長手方向の長さＣ（図１３）を有し、その際高さＤは約2.9 mmである。傾斜路状傾斜面２３２ａは約27.7°の角度γを形成する( 図１３）。半径Ｒ２のための曲率半径の中心はクランプバンドの横方向に約4.38 mm(図１４）の距離Ｅだけ互いに間隔を置いており、そのとき曲率半径Ｒ２は約1.3 mmである。図１４の半径Ｒ３のための曲率半径の間の間隔Ｆは約0.98 mm であり、そのとき曲率半径Ｒ３は1.1 mmである。
【００３３】
図１６〜１８に示す押し出された隆起２５０およびトンネル状部材２３５に関して、隆起２５０の長手方向の幅Ｍ（図１６）は２mmであり、深絞りにより得られた補強部（図１７）の隆起した押し出された高さＮは約0.3 mmであり、曲率半径Ｒ４（図１７）は1.82 mm であり、曲率半径Ｒ５は0.57 mm である。外側バンド部分２１０ｂの自由端に対する補強部２５０の横方向に延びる部分２５２の中心線の間隔Ｐは約2.5 mmであり、外側バンド部分の自由端から隆起２５０の二つの側方部分２５１の半円形端部分の中心までの寸法Ｏは5.5 mmであり、そのとき側方部分２５１の円みのついた端部の中心が約９mmの距離Ｑだけ横方向に互いに間隔を置いている。工具係合面２３５′は外側バンド部分２１０ｂの自由端から約９mmの距離ｓだけ間隔を置いている。トンネル状部材２３５（図１８）の高さＨは約3.2 mmであり、半径Ｒ６のための曲率半径の中心までのクランプバンドの横方向の間隔Ｔは5.8 mm（図１８）であり、曲率半径Ｒ６は約0.5 mmである。曲率半径Ｒ７は1.7 mmであり、曲率半径Ｒ８は1.1 mmである。図１２のクランプの他の寸法は、本出願の譲り受け人により製造されかつ市場で入手可能な耳なしクランプで使われる設計基準から当業者にとって容易に確かめることができる。また、全ての寸法はクランプバンドの平らな状態で与えられることに留意しなければならない。
【００３４】
適正な釣合い錘を選択する仕事を容易にするために、標準寸法の釣合い錘、例えばその角部が面取りされた長方形輪廓の釣合い錘であって、板状釣合い錘部材６０に設けられた開口６２（図２０）の数、寸法および位置により種々の重さを与える全ての同じ寸法のものを用いることができる。例えば、開口のない板状部材は５グラムの重さを有し、図２０に示した二つの開口をもった板状部材は２グラムの重さを有する。中間の値はそのような開口の数と寸法により達成できる。そのとき、必要な釣合い錘を選択する人がいくつかのそのような板状部材から必要な重さを集めることができる。板状部材を互いに対しておよびクランプバンドならびに回転部材に対して所定の位置に保持するために、各板状部材には小さな押し出されたノブ状くぼみ６１（図２０と２１）を設けて、それにより板状部材を適正な位置に積み重ねることができかつ積み重ねられた板状部材をそのような位置に保持することができる。
【００３５】
釣合い錘のための必要な重さが重なり合っているバンド部分の連結部および締め付け手段の重さより小さい場合には、クランプそれ自体で平衡するように釣合い錘により予備組立てされた平衡クランプを設けるのが望ましい。その目的のために、連結および締め付け手段の結合した重さを示す板状部材を、例えば結合および締め付け手段に対向する領域に溶接により永続的に固着することができ、その際これらの板状部材を回転部材上の正しい位置に配置することにより回転部材を平衡させるためにただ一つのまたは数個の小さな板状部材を選択することしか必要でない。永続的に固定された釣合い錘にノブ状くぼみを設けることにより、回転部材の不平衡を補償するための板状部材を永続的に固着されたバランスウエイトに積み重ねて組み立てることができる。これにより、もし板状部材が種々の寸法の板状部材で積み重ねることができるための押し出されたノブ状隆起を有するとすれば、たとえ二個以上の標準寸法の板状部材を用いるとしても標準寸法の板状部材を使用することができる。さらに、板状部材が常にその積み重ねができる手段を備えている限り種々の厚さの標準寸法を設けることもできる。これにより、回転部材を平衡させる任務を負わされた人の仕事を容易にするだけではなく、一度積み重ねて相対運動を阻止することにより組み立てた板状部材を所定の相対位置に保つこともできる。板状部材の積み重ねが回転部材に取りつけられるにつれて半径方向に高くなりすぎる場合には、各クランプと共に使用される積み重ねた板状部材の数を分割するために二つのクランプを並行して使用することしか必要でない。
【００３６】
本発明によるいくつかの実施の形態を示しかつ述べたけれども、本発明はそれい制限されないで、当業者にとって知られた無数の変更と修正が可能であることを理解されたい。例えば、弾性的な伸縮性がクランプの長手方向に必要である場合には、前述した共に係属中の出願に開示された砂時計に似ている窓により間隔を置いた凹状の側方バンド部分の一つまたは複数の区分を利用することもできる。さらに、本発明の好ましい実施の形態により、そのような区分の代わりに、適当な高さと半径の曲率のクランプバンドに一つまたは複数の起伏を設けることができ、その際その起伏は側方バンド部分にしかも重なりの始まる所の近くに設けられる。そのような公差を補償する起伏は釣合い錘の厚さの差を補償し、それ故種々の釣合い錘の厚さのために種々のクランプを製造する必要を除くだろう。さらに、本出願人の前述した特許に記載された特徴のいずれも、所望ならば用いることができる。さらに、補助ばね構造体を、本出願人の先の米国特許第5,111,555 および5,138,747 に開示された補助ばね配置を利用することにより、ここに記載されたクランプの種々の実施の形態の各々に組み込むこともできる。
【００３７】
複合補強溝配置を備えた「エテッカー」耳を有する単独の広幅のクランプバンドの代わりに、二つの並んだバランス配置を用いることもでき、その際各バランス配置は所定の釣合い錘を有しかつ広い範囲のバランス配置を増加させるために前記の英国特許に開示されたように構成される。しかしながら、費用の理由のためにおよび取りつけやすさのために、本発明による配置は、特に取りつけやすさが非常に重要である自動車産業の駆動軸のような、大量生産物品の応用に好ましい。このように、本発明のいくつかの実施の形態のみを示しかつ述べたけれども、本発明はこれには制限されないで、当業者にとって知られた無数の変更と修正が可能であり、それ故本出願人はここに示しかつ記載された細部に制限されないで、特許請求の範囲により囲まれた全てのそのような変更と修正をカバーするつもりであることを理解されたい。
【００３８】
【発明の効果】
以上説明したように、本発明によれば、これまで企画された重さの二倍の重さを有する釣合い錘の信頼できる確実な保持を確保する一体の平衡する釣合い錘をバランス配置および予備組立てされたクランプに設けることができる。
【図面の簡単な説明】
【図１】  本発明のバランス配置に用いられる一実施の形態のクランプの平面図である。
【図２】  図１のクランプの側面図である。
【図３】  図１の線Ａ−Ａに沿って切断した横断面図である。
【図４】  図１の線Ｂ−Ｂに沿って切断した横断面図である。
【図５】  図２の矢印Ｃの方向に見た端面図である。
【図６】  図１と２のクランプの案内兼支持フックおよび支持フックの或る細部を拡大した概略部分平面図である。
【図７】  締め付けられてない状態のクランプの軸方向より見た図である。
【図８】  図７の側面図である。
【図９】  本発明のバランス配置に用いられるクランプと釣合い錘を組み合わせた改変した実施の形態の概略平面図である。
【図１０】  （Ａ）、（Ｂ）および（Ｃ）は米国特許第5,230,246 号に開示された補強耳構造体を有するクランプで得られた試験データを表すグラフである。
【図１１】  （Ａ）、（Ｂ）および（Ｃ）は本発明の補強された塑性変形可能な耳を備えたクランプで得られた試験データを表すグラフである。
【図１２】  本発明のバランス配置に用いられるいわゆる耳なしクランプの改変された実施の形態の概略的な平面図である。
【図１３】  耳なしクランプの機械的連結部の新規な改良された支持フック形成部分を拡大して示す側面図である。
【図１４】  図１３の支持フックの端面図である。
【図１５】  図１３の支持フックの部分平面図である。
【図１６】  図１２の耳なしクランプの外側バンド部分の端部領域に用いられる新規な補強部の好ましい実施の形態を示す拡大部分平面図である。
【図１７】  図１６の線Ｄ−Ｄに沿って切断した横断面図である。
【図１８】  図１６の線Ｅ−Ｅに沿って切断した横断面図である。
【図１９】  重さを減らす開口の改変構造を有するクランプのクランプバンドの部分平面図である。
【図２０】  本発明で用いられる板状釣合い錘の概略斜視図である。
【図２１】  図２０の線２１−２１に沿って切断した横断面図である。
【符号の説明】
１０                                クランプバンド
１０ａ，１０ｂ；２１０ａ，２１０ｂ  内側および外側クランプバンド部分
３０                                クランプバンドの締め付け手段
３１，３２                          脚部
３４                                補強手段
３５                                連結部分
４０                                機械的連結手段
４１                                支持フック
４２                                長方形の孔
４３                                案内兼支持フック
４３′                              斜めの案内面
４３″                              下方へ延びる尖端部分
４４                                スロット状孔
６０                                釣合い錘
【図１】
0004060906.tif 000004
【図２】
0004060906.tif 000005
【図３】
0004060906.tif 000006
【図４】
0004060906.tif 000007
【図５】
0004060906.tif 000008
【図６】
0004060906.tif 000009
【図７】
0004060906.tif 000010
【図８】
0004060906.tif 000011
【図９】
0004060906.tif 000012
【図１０】
0004060906.tif 000013
【図１１】
0004060906.tif 000014
【図１２】
0004060906.tif 000015
【図１３】
0004060906.tif 000016
【図１４】
0004060906.tif 000017
【図１５】
0004060906.tif 000018
【図１６】
0004060906.tif 000019
【図１７】
0004060906.tif 000020
【図１８】
0004060906.tif 000021
【図１９】
0004060906.tif 000022
【図２０】
0004060906.tif 000023
【図２１】
0004060906.tif 000024